(57)【要約】【課題】  細隙燈顕微鏡の接眼部から医師が眼を離すことなく、ピンセットに付着した睫を除去することができる。【解決手段】  細隙燈顕微鏡２が側方に備える支柱６Ｒに取り付けた目玉クリップ２２にネジ止めした柱状部３２の受け部３４に、支持棒３６の一端に設けた球状部３８を嵌め、支持棒３６の他端にピンセット拭き取りようの布２０を取り付けてある。【選択図】        図１
2009131300.tif 000002
【特許請求の範囲】
【請求項１】
細隙燈顕微鏡が側方に備える支柱に設けられた支持体と、
この支持体に着脱自在に設けられたピンセット拭き取り用布とを、
具備するピンセット清掃具。
【請求項２】
請求項１記載のピンセット清掃具において、前記支持体は、
前記支柱に取り付けられた固定部と、
この固定部に対する位置を変更可能に設けられ、前記布を保持している保持部とを、
具備するピンセット清掃具。
【請求項３】
請求項２記載のピンセット清掃具において、前記保持部は、前記布を着脱自在に把持する把持部であって、この把持部は、前記固定部に設けた軸の回りに回転可能であるピンセット清掃具。
【請求項４】
請求項２記載のピンセット清掃具において、前記保持部は、前記布を先端に取り付けた支持棒を有し、この支持棒の基端に球状部が設けられ、前記固定部には、前記球状部を揺動自在に受ける受け部が形成されているピンセット清掃具。
【請求項５】
請求項４記載のピンセット清掃具において、前記棒状部の中途に外方に突出した突出部が形成されているピンセット清掃具。
【発明の詳細な説明】
【技術分野】
【０００１】
本発明は、ピンセットの清掃具に関し、特に細隙燈顕微鏡を用いて、逆睫を抜毛するのに使用するピンセットに付着した睫を取り除くものに関する。
【背景技術】
【０００２】
従来、ピンセットの清掃器としては、例えば特許文献１に開示されているようなものがある。特許文献１に開示された技術では、生態検査時の試料の取扱に使用するピンセットを清掃するもので、容器内に、ピンセットを突き刺しできるように硬質な繊維状体からなる突き刺し層を収容し、この容器を所定温度に加熱器によって加熱するように構成されている。この清掃器によれば、突き刺し層にピンセットを突き刺すことによって、ピンセットが突き刺し層の繊維状体に何度も擦れ、ピンセットを拭ったのと同様な作用効果が得られる。また、容器を加熱することによって、ピンセットに付着したワックス等を軟化または溶融させて、より離脱しやすくするためである。
【０００３】
【特許文献１】特開２００５−３１０５９号公報
【発明の開示】
【発明が解決しようとする課題】
【０００４】
ところで、ピンセットは上述した生態検査時に試料を取り扱う他に、医療用にも使用される。例えば眼科において細隙燈顕微鏡によって医師が患者の眼を観察しながら、患者の逆睫を抜毛するために使用することがある。この場合、患者は細隙等顕微鏡の顎を載せる台に顎を載せ、その上部にある額接触部に額を接触させて、顎と額とを固定する。この状態で医師が接眼部によって患者の眼を観察できるように調整を行う。この状態においてピンセットを使用して睫を抜毛する。何度か抜毛を行うピンセットに睫が付着し、抜毛しにくくなる。この付着した睫をピンセットから除去するために、例えば特許文献１に開示されている清掃器を使用しようとする場合、医師は、細隙燈顕微鏡の接眼部から眼を離して、顔を動かして清掃器の容器の位置を確認した後、ピンセットを容器内の突き刺し部に突き刺す作業を行わねばならない。この場合、医師が接眼部から顔を動かしたことにより、患者が治療が終了したと勘違いして、台から顎を外すことがある。そうすると、再度、患者に顎を台の上に載せてもらい、細隙燈顕微鏡の調整をやり直さなければならず、効率的に治療を行うことができなかった。
【０００５】
本発明は、医師が細隙燈顕微鏡の接眼部から顔を動かすことなく、わずかな視点移動で、ピンセットに付着した睫を除去することができるピンセット清掃具を提供することを目的とする。
【課題を解決するための手段】
【０００６】
本発明の一態様のピンセットの清掃具は、細隙燈顕微鏡が側方に備える支柱に、支持体を設け、この支持体に着脱自在にピンセット拭き取り用布を設けられたものである。
【０００７】
このように構成したピンセットの清掃具では、細隙燈顕微鏡の側方にある支柱に、ピンセット拭き取り用の布を設けているので、医師は接眼部に眼を当てた状態で眼を僅かに外方側に動かすことによって布を視認することができる。従って、顔を接眼部から大きく離すことなく、ピンセットを布で拭うことができる。よって、患者はまだ治療が継続していることが判り、顔を細隙燈顕微鏡から外すことがない。それによって、細隙燈顕微鏡の再調整を医師が行う必要が無く、効率的に治療を継続できる。なお、布は支持体に着脱自在に取り付けられているので、睫が付着した布を、新しい布に容易に交換することができる。
【０００８】
支持体は、前記支柱に取り付けた固定部と、前記布を保持している保持部とを備えたものとすることができる。保持部は、固定部に対する位置を変更可能に設けられている。
【０００９】
このように構成すると、布を保持している保持部の固定部に対する位置を変更できるので、医師が接眼部を覗いている状態で、布を認識しやすい位置に保持部の位置を調整することができる。
【００１０】
さらに、保持部は、前記布を着脱自在に把持する把持部、例えば目玉クリップ状のものとすることができる。この場合、把持部は、前記固定部に設けた軸の回りに回転可能に取り付けられる。
【００１１】
把持部が布を着脱自在に把持するように構成しているので、その交換が容易であるし、また、この把持部を軸の回りに回転させることによって医師が使用しやすい位置に、把持部を配置することが可能となる。
【００１２】
或いは、保持部は、前記布を先端に取り付けた支持棒を有するものにできる。この場合、この支持棒の基端に球状部が設けられる。固定部には、球状部を揺動自在に受ける受け部が形成されている。
【００１３】
このように構成すると、布を取り付けた支持棒は、球状部を設けたことにより、布の位置の変更の自由度が増し、医師がより使用しやすい位置に布を配置することができる。また、布を交換する場合には、支持棒に布を取り付けたものを交換部品として予め準備しておけば、使用済みの布の付いた支持棒を受け部から抜いて、未使用の交換部品の支持棒を受け部に挿入するだけで、布の交換を行うことができ、交換作業が容易に行える。
【００１４】
さらに、前記棒状部の中途に外方に突出した突出部を形成することができる。このように構成すると、交換部品の支持棒を受け部に取り付ける際に手が布に触れることがなく、布の清潔度を保てる。
【発明の効果】
【００１５】
以上のように、本発明によれば、医師が細隙燈顕微鏡の接眼部を覗いたままで、ピンセットに付着した睫を除去することができるので、患者が治療終了と勘違いして、細隙燈顕微鏡から顔を離すことがなく、細隙燈顕微鏡を再調整する必要が無く、効率的に治療を進めることができる。
【発明を実施するための最良の形態】
【００１６】
本発明の第１の実施形態のピンセット清掃具は、図２に概略を示す細隙燈顕微鏡２と共に使用される。細隙燈顕微鏡２は、看者の顎と額とを固定した状態で、患者の眼にスリット光を当て、顕微鏡によって患者の眼を観察するもので、フレーム４を有している。フレーム４は、間隔を隔てて平行に配置した２本の垂直支柱６Ｒ、６Ｌを有している。これら支柱６Ｒ、６Ｌの中途を跨ぐように、患者が顎を載せる台部８が設けられ、台部８の上方の支柱６Ｒ、６Ｌ間に額を当てる当接部１０が設けられている。このフレーム４と対向するように、医師が覗く接眼部１２が設けられている。この接眼部１２は、縦、横、高さ方向にそれぞれ位置を、ジョイスティック１４の操作によって調整可能とされ、患者の眼を観察するのに最適な位置に調整される。細隙燈顕微鏡２の他の構成は、本願発明の要旨と直接に関連しないので、説明を省略する。
【００１７】
この細隙顕微鏡２を用いて、患者の眼を観察しながら逆睫を抜毛する際に、ピンセットを使用する。このピンセットに付着した抜毛した睫が付着したままでは、別の睫を抜毛しようとしたに速やかに抜毛することができない。そこで、ピンセットに付着した睫を拭う必要がある。このとき、上述したような問題が生じる。
【００１８】
そこで、この実施形態によるピンセット清掃具１６が、フレーム４の例えば支柱６Ｒに取り付けられている。ピンセット清掃具１６は、図１（ａ）、（ｂ）に示すように、支持体１８に着脱自在に布２０を設けたもので、支柱６Ｒに着脱自在に取り付けられる固定部として目玉クリップ２２を使用している。医師の効き腕によって支柱６Ｌにピンセット清掃具１６を取り付けることもできる。この場合、目玉クリップ２２を使用することによって、いずれの支柱にも容易に取り付けることができる。
【００１９】
目玉クリップ２２は、先端に支柱６Ｒを両側から挟持する１対の挟持部２４を有し、これら挟持部２４からそれぞれ胴部２６が伸び、胴部２６の端にそれぞれ円形膨大部２８を有している。なお、挟持部２４を互いに接触させるためにバネが設けられているが、図示は省略してある。円形膨大部２８に力を加えることによって互いに接触している挟持部２４がバネの作用力に抗して開き、円形膨大部２８に加えた力を除くと、バネの作用力によって挟持部２４が互いに接触する。
【００２０】
１対の円形膨大部２８には、それぞれ円孔３０が形成されており、一方の円形膨大部２８の内側には、この円孔３０を利用して柱状部３２がネジ止めされている。柱状部３２は、図３（ａ）、（ｂ）に示すように、先端に概略円弧状の板状体に構成した受け部３４を有し、図１（ａ）に示すように、受け部３４が円形膨大部２８から外方に突出した状態で円形膨大部２４の円孔３０にネジ止めされている。
【００２１】
この受け部３４に、保持部、例えば支持棒３６の一端に設けた球状部３８が受け部３４の内面に面接触するように嵌め込まれている。この球状部３８と受け部３４とによってユニバーサルジョイントが形成され、支持棒３６は任意の方向に向くことができる。球状部３８は、受け部３４に対して着脱自在である。支持棒３６の他端には、円板状の固定部４０が形成されている。
【００２２】
この固定部４０には、図４に示すような概略矩形の布２０、例えば消毒綿が取り付けられている。布２０には、その中心に孔４２が形成されており、この孔４２を通るように一方の対角線に沿って三角形状に布２０を折り畳み、折り畳んだ状態で孔４２から固定部４０を布２０内に挿入して接着剤等によって固定してある。
【００２３】
このように構成したピンセット清掃具１６を、図２に示すように支柱６Ｒに取り付ける。このとき、医師が使用しやすい位置、例えば接眼部１２を覗いている状態のままで、視点をわずかに動かすだけで布２０が見える位置に布２０が位置するように、目玉クリップ２２の取付位置及び支持棒３６の位置を決定する。特に、支持棒３６を手でもって動かすことによって布２０の位置を自由に変更することができるので、医師の使用しやすい位置に容易に布２０を向けることができる。これによって、接眼部１２を覗いたままで、僅かに顔を動かすだけで、ピンセット清掃具１６を視認することができ、ピンセットをピンセット清掃具１６の布２０で拭うことができる。また、柱状部３２、受け部３４は、円形膨大部２４の内側に取り付けられているので、ピンセットを拭う際に、これらが医師の手に触れることはない。
【００２４】
なお、使用済みの布２０は支持棒３６と共に廃棄し、図５に示すように予め容器４４内に複数収容してある支持棒３６に布２０を取り付けてある交換部品の１つを取り出して、支持棒３６の球状部３８を受け部３４に取り付ける。
【００２５】
なお、上記の実施形態では、布２０は矩形のものを使用したが、図６に示すように円形の布２０ａを使用することもできる。また、支持棒３６の他端に設ける固定部４０は円板状のものを使用したが、図７（ａ）、（ｂ）に示すように半円状の固定部４０ａとすることもできる。
【００２６】
また、受け部３４は半円状の板状体に構成したが、図８に示すように半球状の受け部３４ａに構成することもできる。この場合、受け部３４ａの内面に支持棒３６の球状部３８が接触するように受け部３４ａを構成する。
【００２７】
また、図９に示すように、支持棒３６の中途に、例えば円柱状の膨大部４４を設けることもできる。この膨大部４４を設けておけば、膨大部４４を手で持って球状部３８を受け部３４に取り付けることができ、布２０に手が接触することを防止でき、布２０の清潔度を保つことができる。また、この膨大部４４に滑り止めとして微少な凹凸をその周囲に設けてある。
【００２８】
或いは、図１０に示すように、固定部４０に代えて、上述した目玉クリップ２２と同様な目玉クリップ５０を支持棒３６の先端に取り付け、この目玉クリップ５０の挟持部５２で布２０を把持するように構成することもできる。なお、支持棒３６の中途には、膨大部４４が設けられている。
【００２９】
第２の実施形態のピンセット清掃具１６ａは、図１１に示すように、上述した目玉クリップ２２と同一構成の２つの目玉クリップ５４、５６を用いている。目玉クリップ５４、５６の挟持部５８、６０が互いに反対側を向くように配置され、目玉クリップ５４の一方の円形膨大部６２と目玉クリップ５６の一方の円形膨大部６４とを重ね合わせて、円形膨大部６２、６４の円孔（図示せず）に挿通したボルト６６をナット６８に螺合させて両者を固定してある。目玉クリップ５４、５６の一方、例えば目玉クリップ５４を固定部として使用して、その挟持部５８で細隙燈顕微鏡２の支柱６Ｒを挟持する。他方の目玉クリップ、例えば目玉クリップ５５６を把持部として使用し、その挟持部６０に折り畳んだ布２０を把持させる。目玉クリップ５２が所望の位置に来るように、目玉クリップ５４の支柱６Ｒへの取付位置を選択する。目玉クリップ５６をボルト６２の回りに回転させることによって所望の角度に布２０を位置させることができる。
【００３０】
第２の実施形態のピンセット清掃具１６ａも、第１の実施形態のピンセット清掃具１６と同様に使用することができる。第２の実施形態のピンセット清掃具１６ａにおいても、布２０としては矩形のものでも円形のものでも使用することができる。
【図面の簡単な説明】
【００３１】
【図１】本発明の第１の実施形態のピンセット清掃具の平面図及び正面図である。
【図２】図１のピンセット清掃具を装着した細隙燈顕微鏡の斜視図である。
【図３】図１のピンセット清掃具の支持棒及び柱状部の正面図及び側面図である。
【図４】図１のピンセット清掃具で使用する布の斜視図である。
【図５】図１のピンセット清掃具と共に使用する交換部品を収容した容器の平面図である。
【図６】図１のピンセット清掃具において使用できる他の布を示す斜視図である。
【図７】図１のピンセット清掃具において使用できる他の支持棒の正面図及び側面図である。
【図８】図１のピンセット清掃具において使用できる他の受け部の斜視図である。
【図９】図１のピンセット清掃具において使用できる他の交換部品の正面図である。
【図１０】図１のピンセット清掃具において使用できる別の交換部品の正面図である。
【図１１】本発明の第２の実施形態のピンセット清掃具の平面図である。
【符号の説明】
【００３２】
２  細隙燈顕微鏡
６Ｒ  支柱
１６  ピンセット清掃具
２０  布
２２  目玉クリップ（支持体、固定部）
３２  柱状部（支持体）
３４  受け部（支持体）
３６  支持棒（支持体）
【図１】
2009131300.tif 000003
【図２】
2009131300.tif 000004
【図３】
2009131300.tif 000005
【図４】
2009131300.tif 000006
【図５】
2009131300.tif 000007
【図６】
2009131300.tif 000008
【図７】
2009131300.tif 000009
【図８】
2009131300.tif 000010
【図９】
2009131300.tif 000011
【図１０】
2009131300.tif 000012
【図１１】
2009131300.tif 000013